(57)【特許請求の範囲】
【請求項１】
複数のソケットピンが突出状に設けられるソケット本体と、該ソケット本体のソケットピン突出側に組み付けられるソケットカバーとのあいだに、前記ソケットピンにそれぞれ電気的に接続される導線が左右方向に並列して平行フラット状に設けられるフラットケーブルを上下方向から挟持固定してコネクタを形成するにあたり、前記ソケット本体のソケットピンとソケットカバーとのあいだにフラットケーブルを位置合わせして上下に挟んだ状態に仮保持するための仮保持用治具であって、該仮保持用治具は、前記ソケット本体およびソケットカバーを圧接方向から挟持する上下一対の挟持辺と、該一対の挟持辺の左右端部同志を連結する左右の連結部材とを用いて構成されるものであり、前記一対の挟持辺には、左右方向を向いた挿通溝と、該挿通溝に設けられる抜止め片とが形成され、連結部材には、ヘッド部と、該ヘッド部から先端側ほど拡開する状態で二股状に伸びていて、前記挿通溝に左右方向進退自在に挿通されるバネ弾性を有した上下の脚片と、該脚片のそれぞれの先端に形成され、前記抜止め辺に係止することで脚片が挿通溝から左右方向に抜出ることを防止する先端屈曲部とが形成されたものであり、前記圧接方向からソケット本体およびソケットカバーを挟持した上下の挟持辺の上下間隔を、連結部材の左右内外方向の進退移動により調節して仮保持するように構成したことを特徴とするコネクタの仮保持用治具。
【発明の詳細な説明】
【０００１】
【発明の属する技術分野】
本発明は、コンピュータ等の電子機器やシーケンサー応用設備等の各種電気装置に用いられるコネクタの仮保持用治具の技術分野に属するものである。
【０００２】
【従来の技術】
一般に、この種のコネクタのなかには、ソケットピンが突出状に設けられるソケット本体と、該ソケット本体のソケットピン突出側に組み付けられるソケットカバーとのあいだに、複数の導線が平行してフラット状に設けられるフラットケーブルを挟持固定して形成されるものがある。
このものにおいて、前記フラットケーブルをソケット本体とソケットカバーとのあいだに挟持固定するにあたり、従来、ソケット本体のソケットピン位置とフラットケーブルの導線位置を合わせ、さらにソケット本体とソケットカバーとの組付け位置を合わせ、このものを位置ズレしないよう指で押えた状態で、圧接工具を用いて圧接することにより固定していた。
【０００３】
【発明が解決しようとする課題】
ところで前記従来のものは、位置合わせしたソケット本体、フラットケーブルおよびソケットカバーを圧接するまで指で押えるようになっているから、作業者の指への負担がかかる許りか、途中で指を弛めると位置ズレしてしまう惧れがある。特に、フラットケーブルが長くて巻かれているようなものでは、フラットケーブルの重量が負荷となって指が疲労するうえ、位置ズレもしやすく、そして、位置ズレしていることに気付かずに圧接してしまうと、圧接ミスやコネクタの損傷を招来することになる。
また、前記位置ズレしないよう指で押えながら圧接工具で圧接する場合、指が邪魔になって見にくいうえ、一度に圧接することは困難であり、このため、まずコネクタの一端側を指で押えた状態で他端側を仮圧接した後、該仮圧接した他端側を把持した状態で再度一端側を仮圧接し、しかる後全体を本圧接しており、複数回の圧接作業が必要であって作業性に劣るという問題があり、ここに本発明が解決しようとする課題があった。
【０００４】
【課題を解決するための手段】
本発明は、上記の如き実情に鑑み、これらの課題を解決することを目的として創作されたものであって、複数のソケットピンが突出状に設けられるソケット本体と、該ソケット本体のソケットピン突出側に組み付けられるソケットカバーとのあいだに、前記ソケットピンにそれぞれ電気的に接続される導線が左右方向に並列して平行フラット状に設けられるフラットケーブルを上下方向から挟持固定してコネクタを形成するにあたり、前記ソケット本体のソケットピンとソケットカバーとのあいだにフラットケーブルを位置合わせして上下に挟んだ状態に仮保持するための仮保持用治具であって、該仮保持用治具は、前記ソケット本体およびソケットカバーを圧接方向から挟持する上下一対の挟持辺と、該一対の挟持辺の左右端部同志を連結する左右の連結部材とを用いて構成されるものであり、前記一対の挟持辺には、左右方向を向いた挿通溝と、該挿通溝に設けられる抜止め片とが形成され、連結部材には、ヘッド部と、該ヘッド部から先端側ほど拡開する状態で二股状に伸びていて、前記挿通溝に左右方向進退自在に挿通されるバネ弾性を有した上下の脚片と、該脚片のそれぞれの先端に形成され、前記抜止め辺に係止することで脚片が挿通溝から左右方向に抜出ることを防止する先端屈曲部とが形成されたものであり、前記圧接方向からソケット本体およびソケットカバーを挟持した上下の挟持辺の上下間隔を、連結部材の左右内外方向の進退移動により調節して仮保持するように構成したことを特徴とするコネクタの仮保持用治具である。
そして、この様にすることにより、仮保持用治具で仮保持したものを圧接すれば良いことになって、従来のように圧接するまで指で押えている必要がないうえ、仮保持状態で位置合せを再度行うことにより位置ズレによる圧接ミスを回避でき、作業性、生産性の向上に寄与できる。
【０００５】
【発明の実施の形態】
次に、本発明の実施の形態を図面に基づいて説明する。図面において、１はコネクタであって、該コネクタ１は、後述するソケット本体２とソケットカバー３とのあいだに、フラットケーブル４を挟持固定して形成される。
【０００６】
前記フラットケーブル４は、所定間隔を存して平行かつフラット状に配置される複数の導線５を、絶縁体６で被覆連結して形成されている。
【０００７】
また、前記ソケット本体２は、フラットケーブル４の導線５と同数のソケット孔２ａが、交互に位置ズレする状態で二列に分割されて穿設されているが、各ソケット孔２ａには、ソケットピン７がそれぞれ組み込まれている。
前記ソケットピン７は、導電体から形成されるものであって、このものは、先端側のセンター位置にスリット孔７ａが開設され、該スリット孔７ａの両側には先端が開脚した一対の開脚片７ｂを備えている。そして該ソケットピン７は、先端側がソケット本体２から突出する状態でソケット孔２ａに嵌入組付けされている。
【０００８】
一方、前記ソケットカバー３は、ソケット本体２のソケットピン突出側に組み付けられるものであって、該ソケットカバー３のソケットピン７に対向する面部には、ソケットピン７の開脚片７ｂ先端側が嵌入する嵌入孔３ａ、およびフラットケーブル４の各導線５を仕切る突部３ｂが形成されている。また、このソケットカバー３の両側部には、前記ソケット本体２の両側部に抜止め状に係合する側片３ｃが突出形成されている。
【０００９】
そして前記ソケット本体２のソケットピン７とソケットカバー３とのあいだにフラットケーブル４を位置合わせして挟んだものを、後述する仮保持用治具を用いて仮保持し、該仮保持されたものをハンディ圧接工具や万力等の圧接手段（図示せず）を用いて圧接することにより、ソケットピン７の開脚片７ｂがフラットケーブル４の導線５間の絶縁体６を突き破ってソケットカバー３側の嵌入孔３ａに嵌入し、これにより導線５がソケットピン７のスリット孔７ａに嵌入してソケットピン７と導線５との電気的な接続がなされると共に、ソケットカバー３の側片３ｂがソケット本体２の両側部に係合して、ソケット本体２とフラットケーブル４およびソケットカバー３が一体的に固定される構成になっている。
【００１０】
次に、前記仮保持用治具の参考例と、本発明の実施の形態について、図４〜図８に基づいて説明する。
ここで、仮保持用治具で仮保持するにあたり、まず、ソケット本体２とソケットカバー３とのあいだに、フラットケーブル４を、該フラットケーブル４の導線５の中心と、対応するソケットピン７のセンター位置（スリット孔７ａ位置）とが合うように位置合わせした状態で挟む。この状態のソケット本体２、フラットケーブル４、およびソケットカバー３を、以下、仮保持前状態のコネクタ１と称する。また、以下の説明において、上下前後左右は、実際の位置関係を示すものではなく、便宜上のものであって、ソケット本体２の上側にソケットカバー３が組付けられるものとし、またフラットケーブル４の導線５の軸方向を前後方向とし、さらに導線５が並列する方向を左右方向として説明してある。
【００１１】
まず、図４に示す参考例の仮保持用治具８は、ソケット本体２およびソケットカバー３の両方の左右側部を前後方向から挟持する前後の挟持部８ａと、これら挟持部８ａ同志を連結するバネ弾性を有した連結部８ｂとから構成されるダブルクリップ形状のものであって、左右一対で用いられる。
そして、この第一の実施の形態の仮保持用治具８を用いる場合、前述した仮保持前状態のコネクタ１の左右両側部を仮保持用治具８で挟持して仮保持する。この仮保持された状態で、仮保持用治具８の有する弾性力により、ソケット本体２およびソケットカバー３は圧接方向に移動できるようになっている。そして、該仮保持状態で、目視で導線５の中心位置とソケットピン７のセンター位置とが合っているか否かを確認し、位置ズレしている場合には、仮保持用治具８を緩めてソケット本体２とソケットカバー３とのあいだに間隙を作った状態にし、フラットケーブル４を左右方向にずらして再度位置合わせを行った後、ソケット本体２、ソケットカバー３を圧接方向に相対移動させて再び仮保持状態とし、該仮保持したままの状態で圧接手段により圧接して固定する。
【００１２】
次いで、図５〜図８に示す本発明の実施の形態の仮保持用治具９は、ソケット本体２およびソケットカバー３を上下方向から挟持する上下一対の挟持辺１０と、該一対の挟持辺１０の左右端部同志を連結する左右の連結部材１１とを用いて構成されている。該連結部材１１は、Ｃ型形状をしたヘッド部１１ａから上下の脚辺１１ｂが先端側ほど拡開する状態で二股状に伸びたバネ弾性を有するものであって、これら上下の脚辺１１ｂは、前記上下の挟持辺１０に形成される左右方向を向いた挿通溝１０ａにそれぞれ左右方向進退移動自在に挿通されている。さらに、１０ｂは挿通溝１０ａに設けられる抜止め片であって、該抜止め片１０ｂに脚辺１１ｂの先端屈曲部１１ｃが係止することで、脚辺１１ｂが挿通溝１０ａから左右外側方に抜出てしまうことが防止されるようになっている。そしてこの仮保持用治具９は、連結部材１１を左右内外方向に進退移動させることにより、上下の挟持辺１０間の上下間隔を調節することができる一方、該調節された状態では、脚辺１１ｂが挿通溝１０ａの壁面に押圧状に接当する摩擦力により連結部材１１の進退移動が規制されて、上記調節された上下間隔を保持できるようになっている。
そして、前記実施の形態の仮保持用治具９を用いる場合、まず、連結部材１１を左右外方に移動させて上下の挟持辺１０間の間隔を広げた状態で、該上下の挟持辺１０のあいだに前記仮保持前状態のコネクタ１を位置せしめた後、連結部材１を左右外方に移動させることにより上下の挟持辺１０間の間隔を狭くして、上側の挟持辺１０をソケットカバー３の上面に、また下側の挟持辺１０をソケット本体２の下面に押圧状に当接せしめて仮保持する。この仮保持された状態において、上下の挟持辺１０は、圧接方向に対し、ソケットピン７のスリット孔７ａに導線５が嵌入する距離分は少なくとも移動できるようになっている。そして、該仮保持状態で、目視で導線５の中心位置とソケットピン７のセンター位置とが合っているか否かを確認し、位置ズレしている場合には再度位置合わせし、該位置合せが完了したものを、仮保持したままの状態で圧接手段により圧接して固定する。
【００１３】
叙述の如く構成された参考例及び実施の形態のものにおいて、フラットケーブル４を、ソケット本体２とソケットカバー３とのあいだに挟持固定してコネクタ１を形成するにあたり、ソケット本体２とソケットカバー３とのあいだにフラットケーブル４を挟んで位置合わせした状態のものを仮保持用治具８、９を用いて仮保持し、該仮保持されたものを圧接手段で圧接固定することになる。
この結果、従来のように圧接するまで指で仮保持する必要がなくなり、作業者の指への負担を軽減でき、現場での作業性が向上する。さらに、前記仮保持状態において、ソケット本体２およびソケットカバー３に対するフラットケーブル４の位置合せを再度行うことができるから、位置ズレしたまま圧接してしまうような不具合を回避できるうえ、圧接作業も一度で良いため、信頼性も高く、生産性の向上に寄与できる。
【００１４】
そして、参考例の仮保持用治具８は、仮保持前状態のソケット本体２およびソケットカバー３の左右両側部を弾性的に挟持する左右一対のダブルクリップ状のものであるから、簡単かつ手軽に用いることができる。
【００１５】
一方、本発明の実施の形態の仮保持用治具９は、仮保持前状態のソケット本体２およびソケットカバー３を、上下の挟持辺１０で圧接方向から挟持するものであり、しかも該上下の挟持辺１０の上下間隔は、連結部材１１を左右内外方向に進退移動させることに容易に調節できるから、大きさの異なる種々のコネクタ１に対応できて、都合がよい。
【図面の簡単な説明】
【図１】  ソケット本体、フラットケーブル、ソケットカバーを示す正面図である。
【図２】  仮保持前状態のコネクタを示す正面図である。
【図３】  圧接固定後のコネクタを示す正面図である。
【図４】  （Ａ）、（Ｂ）は参考例におけるコネクタの仮保持状態を示す正面図、底面図である。
【図５】  （Ａ）、（Ｂ）は本発明の実施の形態におけるコネクタの仮保持状態を示す正面図、圧接固定後の状態を示す正面図である。
【図６】  （Ａ）、（Ｂ）は本発明の実施の形態における仮保持用治具の正面図、平面図である。
【図７】  （Ａ）、（Ｂ）は本発明の実施の形態における仮保持用治具の挟持辺の正面図、側面図である。
【図８】  本発明の実施の形態における仮保持用治具の連結部材の正面図である。
【符号の説明】
１    コネクタ
２    ソケット本体
３    ソケットカバー
４    フラットケーブル
５    導線
７    ソケットピン
８    仮保持用治具
９    仮保持用治具
１０    挟持辺
１１    連結部材
【図１】
0003795708.tif 000002
【図２】
0003795708.tif 000003
【図３】
0003795708.tif 000004
【図４】
0003795708.tif 000005
【図５】
0003795708.tif 000006
【図６】
0003795708.tif 000007
【図７】
0003795708.tif 000008
【図８】
0003795708.tif 000009